(57)【要約】【課題】  機種やメーカに拘わり無く表示可能で、ユーザの感情やイメージを表現したメッセージを作成する携帯端末用表示データ作成装置を提供する。【解決手段】  携帯端末用表示データ作成装置２は、携帯端末から送信されたテキストデータを解析し、解析結果、又は、パラメータ記憶部１８に記憶されているパラメータに基づいて、テキストデータの内容に合致した背景画像を背景画像データ記憶部１４の中から選択する。次に、解析結果に基づいてフォントデータ記憶部１６の中からテキストデータの内容に合致したフォントを選択し、選択されたフォントを用いてテキストデータを画像データに変換する。次に、背景画像、テキストデータを変換した画像データ及び携帯端末用表示データ作成装置２のドメイン名を示すデータに基づいて携帯端末用画像を作成し、作成された携帯端末用画像をテキストデータの送信元の携帯端末に送信する。【選択図】  図１
2005242790.tif 000002
【特許請求の範囲】
【請求項１】
背景画像データを記憶する背景画像データ記憶手段と、
フォントデータを記憶するフォントデータ記憶手段と、
携帯端末から送信されたテキストデータを受信する受信手段と、
前記受信手段により受信されたテキストデータを解析するテキストデータ解析手段と、
前記テキストデータ解析手段によるテキストデータの解析結果に基づいて、前記背景画像データ記憶手段に記憶されている背景画像データの中から所定の背景画像データを選択する背景画像データ選択手段と、
前記テキストデータ解析手段によるテキストデータの解析結果に基づいて、前記フォントデータ記憶手段に記憶されているフォントデータの中から所定のフォントデータを選択するフォントデータ選択手段と、
前記背景画像データ選択手段により選択された背景画像データ及び前記フォントデータ選択手段により選択されたフォントデータに基づいて、携帯端末用画像を作成する携帯端末用画像作成手段と、
前記携帯端末用画像作成手段により作成された携帯端末用画像のデータを前記携帯端末に送信する送信手段と
を備えることを特徴とする携帯端末用表示データ作成装置。
【請求項２】
前記携帯端末用画像作成手段は、
該携帯端末用表示データ作成装置のドメイン名を含む携帯端末用画像を作成することを特徴とする請求項１記載の携帯端末用表示データ作成装置。
【請求項３】
前記テキストデータ解析手段は、
前記受信手段により受信されたテキストデータを自然言語処理により分類する分類手段を備え、
前記背景画像データ選択手段は、
前記分類手段による分類に基づいて、前記背景画像データ記憶手段に記憶されている背景画像データの中から所定の背景画像データを選択することを特徴とする請求項１又は請求項２記載の携帯端末用表示データ作成装置。
【請求項４】
前記テキストデータ解析手段は、
前記受信手段により受信されたテキストデータが、主題、日時及び場所を示す所定データの内、少なくとも何れか一つを含んでいるか否かを解析し、
該解析結果に基づいて前記背景画像データ選択手段は、背景画像データの選択を行うことを特徴とする請求項１又は請求項２記載の携帯端末用表示データ作成装置。
【請求項５】
時刻、曜日、季節、暦、天候、気温及び湿度の内、少なくとも何れか一つをパラメータとして記憶するパラメータ記憶手段を備え、
前記背景画像データ選択手段は、
前記テキストデータ解析手段により前記テキストデータに前記所定データの何れもが含まれていないことが解析された場合に、前記パラメータ記憶手段に記憶されているパラメータに基づいて、前記背景画像データ記憶手段に記憶されている背景画像データの中から所定の背景画像データを選択することを特徴とする請求項４記載の携帯端末用表示データ作成装置。
【請求項６】
前記テキストデータ解析手段は、
前記受信手段により受信されたテキストデータを自然言語処理により分類する分類手段を備え、
前記フォントデータ選択手段は、
前記分類手段による分類に基づいて、前記フォントデータ記憶手段に記憶されているフォントデータの中から所定のフォントデータを選択することを特徴とする請求項１〜請求項５の何れか一項に記載の携帯端末用表示データ作成装置。
【請求項７】
前記テキストデータ解析手段は、
前記受信手段により受信されたテキストデータが、主題、日時及び場所を示す所定データの内、少なくとも何れか一つを含んでいるか否かを解析し、
該解析結果に基づいて前記フォントデータ選択手段は、フォントデータの選択を行うことを特徴とする請求項１〜請求項５の何れか一項に記載の携帯端末用表示データ作成装置。
【請求項８】
時刻、曜日、季節、暦、天候、気温及び湿度の内、少なくとも何れか一つをパラメータとして記憶するパラメータ記憶手段を備え、
前記フォントデータ選択手段は、
前記テキストデータ解析手段により前記テキストデータに前記所定データの何れもが含まれていないことが解析された場合に、前記パラメータ記憶手段に記憶されているパラメータに基づいて、前記フォントデータ記憶手段に記憶されているフォントデータの中から所定のフォントデータを選択することを特徴とする請求項７記載の携帯端末用表示データ作成装置。
【請求項９】
前記携帯端末から携帯端末用画像の変更要求を受信する変更要求受信手段と、
前記変更要求受信手段により受信された変更要求に基づいて、前記携帯端末用画像を構成する背景画像データ及びフォントデータの少なくとも何れか一方を変更する画像変更手段と
を更に備えることを特徴とする請求項１〜請求項８の何れか一項に記載の携帯端末用表示データ作成装置。
【請求項１０】
前記受信手段において、前記テキストデータと共に携帯端末用画像の送信先を示す送信先データが受信された場合に、
前記送信手段は、
前記携帯端末用画像作成手段により作成された携帯端末用画像のデータを、前記送信先データにより示される送信先に送信することを特徴とする請求項１〜請求項９の何れか一項に記載の携帯端末用表示データ作成装置。
【請求項１１】
携帯端末から送信されたテキストデータを受信する受信ステップと、
前記受信ステップにおいて受信されたテキストデータをテキストデータ記憶部に記憶するテキストデータ記憶ステップと、
前記テキストデータ記憶ステップにおいて前記テキストデータ記憶部に記憶されたテキストデータを解析するテキストデータ解析ステップと、
前記テキストデータ解析ステップにおけるテキストデータの解析結果に基づいて、背景画像データ記憶部に記憶されている背景画像データの中から、所定の背景画像データを選択する背景画像データ選択ステップと、
前記テキストデータ解析ステップにおけるテキストデータの解析結果に基づいて、フォントデータ記憶部に記憶されているフォントデータの中から、所定のフォントデータを選択するフォントデータ選択ステップと、
前記背景画像データ選択ステップにおいて選択された背景画像データ及び前記フォントデータ選択ステップにおいて選択されたフォントデータに基づいて、携帯端末用画像を作成する携帯端末用画像作成ステップと、
前記携帯端末用画像作成ステップにおいて作成された携帯端末用画像のデータを前記携帯端末に送信する送信ステップと
を含むことを特徴とする携帯端末用表示データ作成方法。
【請求項１２】
コンピュータに、
背景画像データを記憶する背景画像データ記憶機能、
フォントデータを記憶するフォントデータ記憶機能、
携帯端末から送信されたテキストデータを受信する受信機能、
前記受信機能により受信されたテキストデータを解析するテキストデータ解析機能、
前記テキストデータ解析機能によるテキストデータの解析結果に基づいて、前記背景画像データ記憶機能により記憶されている背景画像データの中から所定の背景画像データを選択する背景画像データ選択機能、
前記テキストデータ解析機能によるテキストデータの解析結果に基づいて、前記フォントデータ記憶機能により記憶されているフォントデータの中から所定のフォントデータを選択するフォントデータ選択機能、
前記背景画像データ選択機能により選択された背景画像データ及び前記フォントデータ選択機能により選択されたフォントデータに基づいて、携帯端末用画像を作成する携帯端末用画像作成機能、
前記携帯端末用画像作成機能により作成された携帯端末用画像のデータを前記携帯端末に送信する送信機能
を実現させることを特徴とする携帯端末用表示データ作成プログラム。
【発明の詳細な説明】
【技術分野】
【０００１】
この発明は、携帯端末において表示されるデータ（携帯端末用画像）を作成する携帯端末用表示データ作成装置、携帯端末用表示データ作成方法及び携帯端末用表示データ作成プログラムに関するものである。
【背景技術】
【０００２】
従来、携帯電話等の携帯端末においては、電子メールを送信する際にテキストデータ（通常の文字列）のみでは表しにくい感情やイメージをいわゆる「絵文字」を用いることにより表現していた。この「絵文字」は、携帯電話サービスを管理・運用している会社等により提供されており、予め携帯電話のメモリ（データ記憶部等）に記憶されている。そのため、ユーザは、メモリから「絵文字」の一覧を呼び出し、一覧の中から任意の「絵文字」を選択することにより電子メール中に「絵文字」を使用していた。
【０００３】
また、近年、主に女子高生の間で用いられている「ヘタ文字（ギャル文字）」という特殊な文字が存在する（非特許文献１参照）。この「ヘタ文字」は、メーカにより提供されているものではなく、携帯電話のユーザにより独自に用いられているものであり、女子高生の間で暗号としても用いられている。「ヘタ文字」は、例えば、文字を分解したり、形が似ている漢字や記号をカタカナやアルファベットに見立てているものが多く、一般的な文字としては理解不可能であり、主に女子高生の間のように特殊なコミュニティにおいて用いられている。
【０００４】
また、携帯電話の電子メールとしてＨＴＭＬ（Ｈｙｐｅｒｔｅｘｔ  Ｍａｒｋｕｐ  Ｌａｎｇｕａｇｅ）を用いた電子メール（ＨＴＭＬメール）と同様の電子メールを送受信することができる携帯電話が存在する（非特許文献２参照）。ＨＴＭＬメールにおいては、電子メールの本文にＨＴＭＬタグを埋め込むことができるため、文字サイズ、色、画像の挿入、点滅、テロップ、ラインの挿入及び背景色の指定等、様々な装飾を施した電子メールを作成することができる。この携帯電話においては、ＨＴＭＬの技術を用いているため、上述のＨＴＭＬメールと同様に、各種の装飾を施した電子メールを送受信することができる。
【０００５】
【非特許文献１】http://www.kaigisho.ne.jp/literacy/midic/data/k29/k29158.htm
【非特許文献２】http://www.itmedia.co.jp/mobile/articles/0401/28/news063.html
【発明の開示】
【発明が解決しようとする課題】
【０００６】
ところで、「絵文字」を用いた電子メールは同一の機種又は同一の携帯電話会社と契約しているユーザ間でなければ、電子メールを受信した場合であっても、電子メール中に用いられている「絵文字」を表示することができないという問題があった。また、ＨＴＭＬメールと同様に装飾を施した電子メールは、特定の携帯電話会社により提供されている特定の機種を利用していなければ送受信することができない。更に、「ヘタ文字」は特定のコミュニティにおいて一種の暗号として用いられており、一般的には理解不能であり汎用性がない。このように、感情やイメージを表現したメッセージを容易に作成すると共に、携帯電話の機種や契約している携帯電話会社に拘わり無く作成されたメッセージを表示することができないという問題があった。
【０００７】
この発明の課題は、機種やメーカに拘わり無く携帯端末において表示することができると共に、ユーザの感情やイメージを表現したメッセージを容易に作成することができる携帯端末用表示データ作成装置、携帯端末用表示データ作成方法及び携帯端末用表示データ作成プログラムを提供することである。
【課題を解決するための手段】
【０００８】
請求項１記載の携帯端末用表示データ作成装置は、背景画像データを記憶する背景画像データ記憶手段と、フォントデータを記憶するフォントデータ記憶手段と、携帯端末から送信されたテキストデータを受信する受信手段と、前記受信手段により受信されたテキストデータを解析するテキストデータ解析手段と、前記テキストデータ解析手段によるテキストデータの解析結果に基づいて、前記背景画像データ記憶手段に記憶されている背景画像データの中から所定の背景画像データを選択する背景画像データ選択手段と、前記テキストデータ解析手段によるテキストデータの解析結果に基づいて、前記フォントデータ記憶手段に記憶されているフォントデータの中から所定のフォントデータを選択するフォントデータ選択手段と、前記背景画像データ選択手段により選択された背景画像データ及び前記フォントデータ選択手段により選択されたフォントデータに基づいて、携帯端末用画像を作成する携帯端末用画像作成手段と、前記携帯端末用画像作成手段により作成された携帯端末用画像のデータを、前記携帯端末に送信する送信手段とを備えることを特徴とする。
【０００９】
この請求項１記載の携帯端末用表示データ作成装置によれば、携帯端末から送信されたテキストデータ、テキストデータに基づいて選択された背景画像及びフォントに基づいて携帯端末用画像を作成し携帯端末に送信している。即ち、携帯端末から送信されたテキストデータを解析し、解析結果に基づいてテキストデータにより示される内容に合致した背景画像及びフォントを選択し、携帯端末用画像を作成している。従って、ユーザは、テキストデータのみを携帯端末用表示データ作成装置に送信することにより、ユーザの感情やイメージを表現した携帯端末用画像を得ることができる。そのため、異なる機種・メーカの携帯端末を使用している場合であっても、画像を表示する機能を有している携帯端末であれば、テキストデータの内容に基づいてユーザの感情やイメージを表現した携帯端末用画像を、例えば、電子メールのメールデータとして用いることができる。
【００１０】
また、請求項２記載の携帯端末用表示データ作成装置は、前記携帯端末用画像作成手段が該携帯端末用表示データ作成装置のドメイン名を含む携帯端末用画像を作成することを特徴とする。
【００１１】
この請求項２記載の携帯端末用表示データ作成装置によれば、携帯端末用画像に該携帯端末用表示データ作成装置のドメイン名が含まれているため、携帯端末用表示データ作成装置の利用を適切に促進させることができる。例えば、一のユーザが携帯端末用画像を電子メールのメールデータとして他のユーザに送信したとする。この場合、携帯端末用画像を受信した他のユーザは、受信した携帯端末用画像に含まれているドメイン名をブラウザ等において接続先のアドレスとして入力することにより携帯端末用表示データ作成装置に接続し、携帯端末用画像の作成を要求することができる。
【００１２】
また、請求項３記載の携帯端末用表示データ作成装置は、前記テキストデータ解析手段が、前記受信手段により受信されたテキストデータを自然言語処理により分類する分類手段を備え、前記背景画像データ選択手段は、前記分類手段による分類に基づいて、前記背景画像データ記憶手段に記憶されている背景画像データの中から所定の背景画像データを選択することを特徴とする。
【００１３】
この請求項３記載の携帯端末用表示データ作成装置によれば、自然言語処理に基づいてテキストデータを分類し、分類に合致する背景画像を選択している。従って、テキストデータの口調や雰囲気等に合致した適切な背景画像が自動的に選択されるため、テキストデータの内容を適切に表現した携帯端末用画像を容易に作成することができる。
【００１４】
また、請求項４記載の携帯端末用表示データ作成装置は、前記テキストデータ解析手段が、前記受信手段により受信されたテキストデータが、主題、日時及び場所を示す所定データの内、少なくとも何れか一つを含んでいるか否かを解析し、該解析結果に基づいて前記背景画像データ選択手段は、背景画像データの選択を行うことを特徴とする。
【００１５】
この請求項４記載の携帯端末用表示データ作成装置によれば、テキストデータに主題（テーマ）、日時及び場所が含まれているか否かが解析され、解析結果に基づいて背景画像データが選択されている。即ち、テキストデータのテーマや、テキストデータが作成された時間、テキストデータが作成されている場所を示すデータが含まれているか否かの解析結果に基づいて、テキストデータの内容を反映した背景画像データが選択されるため、テキストデータの内容等を適切に反映すると共に適切に表現した携帯端末用画像を容易に作成することができる。
【００１６】
また、請求項５記載の携帯端末用表示データ作成装置は、時刻、曜日、季節、暦、天候、気温及び湿度の内、少なくとも何れか一つをパラメータとして記憶するパラメータ記憶手段を備え、前記背景画像データ選択手段は、前記テキストデータ解析手段により前記テキストデータに前記所定データの何れもが含まれていないことが解析された場合に、前記パラメータ記憶手段に記憶されているパラメータに基づいて、前記背景画像データ記憶手段に記憶されている背景画像データの中から所定の背景画像データを選択することを特徴とする。
【００１７】
この請求項５記載の携帯端末用表示データ作成装置によれば、テキストデータにテーマ、日時及び場所を含むデータが含まれていない場合には、時刻、曜日、季節、暦（節分、七夕等）、天候、気温及び湿度等のパラメータに基づいて背景画像データが選択されている。従って、例えば、春であれば桜の花を用いた背景画像等、夏であれば海を用いた背景画像等、秋であれば紅葉を用いた背景画像等、冬であれば雪だるまを用いた背景画像等を用いて適切な携帯端末用画像を容易に作成することができる。
【００１８】
また、請求項６記載の携帯端末用表示データ作成装置は、前記テキストデータ解析手段が、前記受信手段により受信されたテキストデータを自然言語処理により分類する分類手段を備え、前記フォントデータ選択手段は、前記分類手段による分類に基づいて、前記フォントデータ記憶手段に記憶されているフォントデータの中から所定のフォントデータを選択することを特徴とする。
【００１９】
この請求項６記載の携帯端末用表示データ作成装置によれば、自然言語処理に基づいてテキストデータを分類し、分類に合致するフォントを選択している。従って、テキストデータの口調や雰囲気等に合致した適切なフォントが自動的に選択されるため、テキストデータの内容を適切に表現した携帯端末用画像を容易に作成することができる。
【００２０】
また、請求項７記載の携帯端末用表示データ作成装置は、前記テキストデータ解析手段において、前記受信手段により受信されたテキストデータが、主題、日時及び場所を示す所定データの内、少なくとも何れか一つを含んでいるか否かを解析し、該解析結果に基づいて前記フォントデータ選択手段は、フォントデータの選択を行うことを特徴とする。
【００２１】
この請求項７記載の携帯端末用表示データ作成装置によれば、テキストデータのテーマや、テキストデータが作成された時間、テキストデータが作成されている場所を示すデータが含まれているか否かの解析結果に基づいて、テキストデータの内容を反映したフォントデータが選択される。そのため、テキストデータの内容等を適切に反映すると共に適切に表現した携帯端末用画像を容易に作成することができる。
【００２２】
また、請求項８記載の携帯端末用表示データ作成装置は、時刻、曜日、季節、暦、天候、気温及び湿度の内、少なくとも何れか一つをパラメータとして記憶するパラメータ記憶手段を備え、前記フォントデータ選択手段は、前記テキストデータ解析手段により前記テキストデータに前記所定データの何れもが含まれていないことが解析された場合に、前記パラメータ記憶手段に記憶されているパラメータに基づいて、前記フォントデータ記憶手段に記憶されているフォントデータの中から所定のフォントデータを選択することを特徴とする。
【００２３】
この請求項８記載の携帯端末用表示データ作成装置によれば、テキストデータにテーマ、日時及び場所を含むデータが含まれていない場合には、時刻、曜日、季節、暦（節分、七夕等）、天候、気温及び湿度等のパラメータに基づいてフォントデータが選択されている。従って、パラメータに基づくテキストデータのイメージ等に合致した的確なフォントデータを用いて、適切な携帯端末用画像を容易に作成することができる。
【００２４】
また、請求項９記載の携帯端末用表示データ作成装置は、前記携帯端末から携帯端末用画像の変更要求を受信する変更要求受信手段と、前記変更要求受信手段により受信された変更要求に基づいて、前記携帯端末用画像を構成する背景画像データ及びフォントデータの少なくとも何れか一方を変更する画像変更手段とを更に備えることを特徴とする。
【００２５】
この請求項９記載の携帯端末用表示データ作成装置によれば、作成された携帯端末用画像を携帯端末に送信した後、携帯端末用画像の変更が要求された場合には、要求された変更の内容に基づいて、背景画像データ及びフォントデータの少なくとも何れか一方を変更し携帯端末用画像を変更している。従って、ユーザの意図する携帯端末用画像を的確に作成することができる。
【００２６】
また、請求項１０記載の携帯端末用表示データ作成装置は、前記受信手段において、前記テキストデータと共に携帯端末用画像の送信先を示す送信先データが受信された場合に、前記送信手段は、前記携帯端末用画像作成手段により作成された携帯端末用画像のデータを、前記送信先データにより示される送信先に送信することを特徴とする。
【００２７】
この請求項１０記載の携帯端末用表示データ作成装置によれば、テキストデータと共に送信先データが受信された場合には、作成された携帯端末用画像を送信先データにより示される送信先に送信している。即ち、携帯端末用表示データ作成装置を、例えば、電子メールのサーバと同様に活用し、携帯端末用画像を電子メールのメールデータとして送受信することができる。
【００２８】
また、請求項１１記載の携帯端末用表示データ作成方法は、携帯端末から送信されたテキストデータを受信する受信ステップと、前記受信ステップにおいて受信されたテキストデータをテキストデータ記憶部に記憶するテキストデータ記憶ステップと、前記テキストデータ記憶ステップにおいて前記テキストデータ記憶部に記憶されたテキストデータを解析するテキストデータ解析ステップと、前記テキストデータ解析ステップにおけるテキストデータの解析結果に基づいて、背景画像データ記憶部に記憶されている背景画像データの中から、所定の背景画像データを選択する背景画像データ選択ステップと、前記テキストデータ解析ステップにおけるテキストデータの解析結果に基づいて、フォントデータ記憶部に記憶されているフォントデータの中から、所定のフォントデータを選択するフォントデータ選択ステップと、前記背景画像データ選択ステップにおいて選択された背景画像データ及び前記フォントデータ選択ステップにおいて選択されたフォントデータに基づいて、携帯端末用画像を作成する携帯端末用画像作成ステップと、前記携帯端末用画像作成ステップにおいて作成された携帯端末用画像のデータを前記携帯端末に送信する送信ステップとを含むことを特徴とする。
【００２９】
この請求項１１記載の携帯端末用表示データ作成方法によれば、携帯端末から送信されたテキストデータを解析し、解析結果に基づいてテキストデータにより示される内容に合致した背景画像及びフォントを選択し、携帯端末用画像を作成している。従って、ユーザは、テキストデータに基づいて作成されたユーザの感情やイメージを表現した携帯端末用画像を、例えば、電子メールのメールデータとして用いることができる。
【００３０】
また、請求項１２記載の携帯端末用表示データ作成プログラムは、コンピュータに、背景画像データを記憶する背景画像データ記憶機能、フォントデータを記憶するフォントデータ記憶機能、携帯端末から送信されたテキストデータを受信する受信機能、前記受信機能により受信されたテキストデータを解析するテキストデータ解析機能、前記テキストデータ解析機能によるテキストデータの解析結果に基づいて、前記背景画像データ記憶機能により記憶されている背景画像データの中から所定の背景画像データを選択する背景画像データ選択機能、前記テキストデータ解析機能によるテキストデータの解析結果に基づいて、前記フォントデータ記憶機能により記憶されているフォントデータの中から所定のフォントデータを選択するフォントデータ選択機能、前記背景画像データ選択機能により選択された背景画像データ及び前記フォントデータ選択機能により選択されたフォントデータに基づいて、携帯端末用画像を作成する携帯端末用画像作成機能、前記携帯端末用画像作成機能により作成された携帯端末用画像のデータを前記携帯端末に送信する送信機能を実現させることを特徴とする。
【００３１】
この請求項１２記載の携帯端末用表示データ作成プログラムによれば、コンピュータを、携帯端末から送信されたテキストデータを解析し、解析結果に基づいてテキストデータにより示される内容に合致した背景画像及びフォントを選択し、携帯端末用画像を作成するように機能させることができる。従って、ユーザは、携帯端末用表示データ作成プログラムが組み込まれたコンピュータにテキストデータのみを送信することにより、ユーザの感情やイメージを表現した携帯端末用画像を得ることができる。そのため、異なる機種・メーカの携帯端末を使用している場合であっても、画像を表示する機能を有している携帯端末であれば、テキストデータの内容に基づいてユーザの感情やイメージを表現した携帯端末用画像を、例えば、電子メールのメールデータとして用いることができる。
【発明の効果】
【００３２】
この発明に係る携帯端末用表示データ作成装置によれば、ユーザから送信されたテキストデータの内容を解析し、解析結果に基づいてテキストデータの内容に合致した背景画像及びフォントを選択している。次に、選択されたフォントを用いてテキストデータを画像データに変換し、選択された背景画像を背景とした携帯端末用画像を作成している。従って、テキストデータの内容を画像を用いて表現しているため、画像を表示する機能を有する携帯端末であれば、機種やメーカに拘わらず、作成された携帯端末用画像を表示することができる。そのため、機種やメーカに拘わらずユーザの感情やイメージをテキストデータに基づいて表現した携帯端末用画像を、例えば、電子メールのメールデータとして利用することができる。
【００３３】
また、携帯端末用画像には携帯端末用表示データ作成装置のドメイン名が含まれている。従って、携帯端末用画像を電子メールのメールデータとして受信した携帯端末のユーザが、受信した携帯端末用画像に含まれているドメイン名を、例えば、ブラウザ等において接続先アドレスとして入力することにより携帯端末用表示データ作成装置に容易に接続して画像の作成を要求することができる。そのため、携帯端末用表示データ作成装置の利用を促進させることができると共に、携帯端末用画像を提供するサービスを適切にユーザ間に浸透させることができる。
【００３４】
また、この発明に係る携帯端末用表示データ作成方法によれば、ユーザから送信されたテキストデータを解析した結果に基づいて選択されたフォントを用いてテキストデータを画像データに変換し、解析結果に基づいて選択された背景画像を背景とした携帯端末用画像を作成している。従って、画像を表示する機能を有する携帯端末であれば、機種やメーカに拘わらず、作成された携帯端末用画像を表示することができ、機種やメーカに拘わらず携帯端末用画像を、例えば、電子メールのメールデータとして利用することができる。
【００３５】
また、この発明に係る携帯端末用表示データ作成プログラムによれば、携帯端末用表示データ作成プログラムをコンピュータに組み込むことにより、コンピュータを携帯端末用表示データ作成装置として機能させることができる。従って、携帯端末用表示データ作成プログラムをコンピュータに組み込むことにより、テキストデータに基づくユーザの感情等を適切に表現した携帯端末用画像を、容易に電子メールのメールデータとして利用することができる。
【発明を実施するための最良の形態】
【００３６】
以下、図面を参照してこの発明の実施の形態に係る携帯端末用表示データ作成装置について説明する。なお、以下においては、携帯端末として携帯電話を用いる場合を例として説明する。
【００３７】
図１は、この発明の実施の形態に係る携帯端末用表示データ作成装置を含むシステム全体のブロック構成図である。携帯端末用表示データ作成装置２は、図１に示すように、ネットワーク４を介して携帯電話６ａ、６ｂ、６ｃと接続されている。
【００３８】
図２は、この発明の実施の形態に係る携帯端末用表示データ作成装置のブロック構成図である。携帯端末用表示データ作成装置２は、図２に示すように、携帯端末用表示データ作成装置２におけるデータの処理を制御するデータ制御部１０を備えている。データ制御部１０には、携帯電話６ａ、６ｂ、６ｃとの間の通信を制御する通信制御部１２、携帯端末（携帯電話）において表示される画像（携帯端末用画像）の背景画像を示す背景画像データを記憶している背景画像データ記憶部１４及び携帯端末用画像に含まれるメッセージを作成する際に用いられるフォントを示すフォントデータを記憶しているフォントデータ記憶部１６が接続されている。また、データ制御部１０には、携帯端末用画像の背景画像を選択する際に用いられる所定のパラメータを記憶するパラメータ記憶部１８及び携帯電話６ａ、６ｂ、６ｃの何れかから送信されたテキストデータ等を記憶するデータ記憶部２０が接続されている。
【００３９】
背景画像データ記憶部１４には、携帯端末（携帯電話）において表示される携帯端末用画像の背景として用いられる画像データ（背景画像）が記憶されている。この背景画像は、テーマ（主題）を示すデータ、日時（年月日及び朝、昼、夜等）を示すデータ、季節（春、夏、秋、冬）を示すデータ及び場所を示すデータ等に対応させて記憶されている。例えば、「冬」を示すデータには雪だるまを示す背景画像のデータ等が、「深夜」を示すデータには暗めの背景画像のデータ等が、「恋愛」を示すデータにはハートを用いた背景画像のデータ等が、「上野」を示すデータには西郷隆盛の像を用いた背景画像のデータ等が記憶されている。なお、背景画像データ記憶部１４においては、各背景画像データに背景画像ＩＤが付されて記憶されている。
【００４０】
また、フォントデータ記憶部１６には、携帯電話６ａ、６ｂ、６ｃの何れかから送信され、受信されたテキストデータを画像に変換する際に用いられるフォントを示すフォントデータが記憶されている。フォントデータ記憶部１６においては、メッセージ毎に、例えば、恋愛の分類、仕事の分類、謝罪文の分類、お知らせ等の通知の分類等の各種分類に対応させて各種のフォントデータが記憶されている。なお、フォントデータ記憶部１６においては、各フォントにフォントＩＤが付されてフォントデータが記憶されている。
【００４１】
また、パラメータ記憶部１８には、背景画像を選択する際に用いられる各種パラメータが記憶されている。例えば、時刻（朝、昼、晩）、曜日（月、火、水、木、金、土、日）、季節（春、夏、秋、冬）、暦（節分、七夕等）、天気、気温及び湿度等を示すデータがパラメータとして記憶されている。即ち、パラメータ記憶部１８には、現在の年月日及び時刻等を示すカレンダーデータがパラメータとして記憶されている。また、携帯端末用表示データ作成装置２は、例えば、図示しない天気情報提供サーバ等にネットワーク４を介して接続することができ、この天気情報提供サーバ等に所定期間毎に接続することにより天気、気温及び湿度等の天候を示すデータを取得している。従って、取得された天候を示すデータがパラメータとして、例えば、４７都道府県等の地域毎に記憶される。
【００４２】
また、データ記憶部２０には、携帯電話６ａ、６ｂ、６ｃの何れかから送信され、通信制御部１２を介して受信されたテキストデータが記憶される。また、データ記憶部２０には、選択された背景画像及び選択されたフォントを用いて作成された携帯端末用画像を示すデータが記憶される。更に、データ記憶部２０には、携帯端末用表示データ作成装置２にネットワーク４を介して携帯電話６ａ、６ｂ、６ｃ等の携帯端末が接続する際に用いられるＵＲＬ（Ｕｎｉｆｏｒｍ  Ｒｅｓｏｕｒｃｅ  Ｌｏｃａｔｏｒｓ）、即ち、携帯端末用表示データ作成装置２の所在を示すデータ（ドメイン名）が記憶されている。
【００４３】
図３は、この発明の実施の形態に係る携帯電話のブロック構成図である。携帯電話６ａは、図３に示すように、携帯電話６ａにおけるデータの処理を制御するデータ制御部３０を備えている。このデータ制御部３０には、携帯端末用表示データ作成装置２との間で信号の送受信を行うためのアンテナ３２及び通話相手の音声等を出力するためのスピーカ３４が接続されている。また、データ制御部３０には、日時、時刻及び発信履歴等を表示する表示部３６、各数字ボタンや電源ボタン等により構成される入力部３８及び携帯電話６ａのユーザの音声を集音するためのマイク４０が接続されている。また、データ制御部３０には、発信履歴等を記憶するデータ記憶部４２が接続されている。
【００４４】
データ記憶部４２には、発信履歴、着信履歴及び送受信された電子メールのデータ等が記憶されている。ここで、データ記憶部４２に記憶されている電子メールのデータの中には、テキストデータの電子メール及び画像データの電子メールの双方が含まれている。即ち、テキストデータにより示される文字列を含む電子メールと、携帯端末用表示データ作成装置２により作成された携帯端末用画像を含む電子メールの双方の電子メールのデータが含まれている。
【００４５】
次に、この発明の実施の形態に係る携帯端末用表示データ作成装置による携帯端末用画像の作成処理について説明する。なお、以下においては、携帯電話６ａのユーザから送信されたテキストデータに基づいて、携帯端末用画像が作成される場合を例として説明する。
【００４６】
まず、携帯電話６ａにおいて、ネットワーク４を介して携帯端末用表示データ作成装置２に接続する。携帯端末用表示データ作成装置２に接続した場合、携帯電話６ａにおいては、表示部３６に携帯端末用画面を作成する際に用いられるテキストデータを入力するためのテキストデータ入力画面が表示される。従って、表示部３６に表示されているテキストデータ入力画面において、入力部３８を介して携帯端末用画像を作成するためのテキストデータの入力を行う。
【００４７】
図４は、この発明の実施の形態に係るテキストデータ入力画面の一例を示す図である。テキストデータ入力画面には、図４に示すように、テキストデータを入力するためのテキストデータ入力欄が表示されており、このテキストデータ入力欄の下部表示欄に、背景画像を選択する際に用いる「背景選択」ボタン、フォントを選択する際に用いる「フォント選択」ボタン、テキストデータを入力する作業等を中止する際に用いる「キャンセル」ボタン及び入力されたテキストデータを携帯端末用表示データ作成装置２に対して送信する際に用いる「Ｏ．Ｋ．」ボタンが表示されている。
【００４８】
ここで、図４に示すテキストデータ入力画面において、「背景選択」ボタンが指定された場合（例えば、入力部３８を介してカーソルを「背景選択」ボタンの位置に移動させた後、入力部３８の確定キー等を操作することにより「背景選択」ボタンが指定される。以下の処理においても同様とする。）には、携帯端末用表示データ作成装置２に対して背景画像のサンプルデータの送信が要求される。携帯端末用表示データ作成装置２においては、背景画像のサンプルデータ（サンプル画像）の送信が要求された場合には、まず、背景画像データ記憶部１４に記憶されているテーマ等を一覧形式で示すデータを携帯電話６ａに送信する。なお、年月日、時刻及び季節を示すデータは、ユーザが任意に入力部３８を介して入力することができるようにしてもよい。
【００４９】
次に、携帯電話６ａにおいては、携帯端末用表示データ作成装置２から送信されたテーマ等を一覧形式で示すデータを受信して表示部３６に表示する。表示されているテーマ等の中から任意のテーマ等が選択された場合には、携帯端末用表示データ作成装置２から選択されたテーマに対応させて背景画像データ記憶部１４に記憶されている背景画像を示すサンプル画像が携帯電話６ａに送信され、携帯電話６ａにおいて受信されたサンプル画像が表示部３６に表示される。従って、表示部３６に表示されているサンプル画像の中から、携帯端末用画像の背景として用いる画像を指定する。なお、サンプル画像としては、例えば、背景画像のサムネイル画像等が用いられる。
【００５０】
また、図４に示すテキストデータ入力画面において、「フォント選択」ボタンが指定された場合には、携帯端末用表示データ作成装置２に対してフォントのサンプルデータ（フォントサンプル）の送信が要求される。携帯端末用表示データ作成装置２においては、フォントサンプルの送信が要求された場合には、フォントデータ記憶部１６に記憶されているフォントサンプルが携帯電話６ａに送信される。携帯電話６ａにおいては、受信したフォントサンプル、例えば、「あ」という文字を各種のフォントで示したデータ等が表示部３６に表示される。従って、表示部３６に表示されているフォントサンプルの中から、テキストデータに基づくメッセージを画像に変換する際に用いられるフォントを指定する。
【００５１】
ここで、テキストデータ入力欄にテキストデータが入力され、背景画像及びフォントを選択することなく「Ｏ．Ｋ．」ボタンが指定された場合には、入力されたテキストデータのみが携帯端末用表示データ作成装置２に送信される。また、テキストデータが入力され、背景画像及びフォントの何れか一方が指定された場合、又は、双方が指定された後に「Ｏ．Ｋ．」ボタンが指定された場合には、入力されたテキストデータと共に、指定された背景画像の背景画像ＩＤや、指定されたフォントのフォントＩＤがネットワーク４を介して携帯端末用表示データ作成装置２に送信される。
【００５２】
携帯端末用表示データ作成装置２においては、図５のフローチャートに示すように、携帯電話６ａから送信されたテキストデータを受信する（ステップＳ１０）。即ち、ネットワーク４を介して携帯電話６ａから送信されたテキストデータを通信制御部１２を介して受信する。なお、受信されたテキストデータはデータ記憶部２０に記憶される。ここで、テキストデータと共に指定された背景画像の背景画像ＩＤ及び指定されたフォントのフォントＩＤが携帯電話６ａから送信された場合には、通信制御部１２を介して指定された背景画像の背景画像ＩＤ及び指定されたフォントのフォントＩＤを受信し、受信した背景画像ＩＤ及びフォントＩＤをテキストデータと共にデータ記憶部２０に記憶する。
【００５３】
次に、背景画像が指定されているか否かを判断する（ステップＳ１１）。即ち、テキストデータと共に指定された背景画像を示す背景画像ＩＤが受信されているか否かを判断する。なお、背景画像ＩＤが受信されていない場合には（ステップＳ１１）、ステップＳ１３に進む。
【００５４】
背景画像が指定されている場合には（ステップＳ１１）、フォントが指定されているか否かを判断する（ステップＳ１２）。即ち、テキストデータと共に指定されたフォントを示すフォントＩＤが受信されているか否かを判断する。なお、背景画像及びフォントが指定されている場合には、ステップＳ１４に進む。
【００５５】
背景画像が指定されていない場合（ステップＳ１１）、又は、フォントが指定されていない場合には（ステップＳ１２）、ステップＳ１０において受信されたテキストデータの解析を行う（ステップＳ１３）。即ち、受信されたテキストデータに形態素解析及び構文解析等の自然言語処理を施すことにより解析を行い、テキストの分類（本文の口調）が何れの分類に該当するか、テキストのテーマ（主題）、テキストを作成している時刻及び場所等の認識を行う。テキストの分類としては、例えば、恋愛の分類、仕事の分類又は謝罪の分類等の各種分類の中の何れの分類に該当するのかを認識する。また、テキストのテーマとして、特定のイベントに関する語がテキストの中に含まれているか否か、含まれている場合にはどのテーマを示しているか等の認識を行う。更に、時刻としてテキストの中に時間を表す語が含まれているか否か、含まれている場合には、どの時刻を示しているかの認識を行う。同様に、テキストの中に場所を表す語が含まれているか否か、含まれている場合には、どの場所を示しているかの認識を行う。
【００５６】
次に、背景画像データ記憶部１４に記憶されている背景画像の中から所定の背景画像を選択する（ステップＳ１４）。即ち、指定された背景画像を示す背景画像ＩＤが受信されている場合には、受信した背景画像ＩＤに対応する背景画像データを背景画像データ記憶部１４に記憶されている背景画像の中から選択する。また、背景画像ＩＤが受信されていない場合には、ステップＳ１３における解析結果、即ち、テキストデータの分類又はテキストデータのテーマ等に合致する画像を背景画像データ記憶部１４に記憶されている背景画像の中から検索する。そして、検索された背景画像の中で解析結果に最も合致している画像を背景画像として選択する。
【００５７】
ここで、テキストデータの解析結果に基づいてテーマ、時刻及び場所等が認識できない場合には、パラメータ記憶部１８に記憶されているパラメータに基づいて背景画像が選択される。即ち、テキストデータにテーマ、時刻及び場所等の何れかを示すデータが一切含まれていない場合には、パラメータ記憶部１８に記憶されているカレンダーデータに基づいて、テキストデータを受信した時刻、曜日、季節及び暦（テーマ）を特定する。また、パラメータ記憶部１８に記憶されている天候に関するデータに基づいて、その時点における天気や気温を特定する。次に、特定された時刻、曜日、季節、暦、天気、気温及び湿度をパラメータとし、パラメータにより示されるイメージに合致した背景画像が背景画像データ記憶部１４に記憶されている背景画像の中から検索される。そして、検索された背景画像の中で、パラメータにより示されるイメージに最も合致した背景画像が選択される。なお、テキストデータに対応させて、検索結果（検索された背景画像データ）及び選択された背景画像データがデータ記憶部２０に記憶される。
【００５８】
次に、フォントデータ記憶部１６に記憶されているフォントの中から所定のフォントを選択する（ステップＳ１５）。即ち、指定されたフォントを示すフォントＩＤが受信されている場合には、受信されたフォントＩＤに対応するフォントデータをフォントデータ記憶部１６に記憶されているフォントの中から選択する。また、フォントＩＤが受信されていない場合には、ステップＳ１３における解析結果、即ち、テキストデータの分類又はテキストデータのテーマ等に合致するフォントをフォントデータ記憶部１６に記憶されているフォントデータの中から検索する。そして、検索されたフォントの中で解析結果に最も合致しているフォントを選択する。なお、テキストデータに対応させて、検索結果（検索されたフォントデータ）及び選択されたフォントデータがデータ記憶部２０に記憶される。
【００５９】
なお、パラメータ記憶部１８に記憶されているパラメータに基づいてフォントを選択するようにしてもよい。例えば、背景画像を選択する場合と同様に、パラメータ記憶部１８に記憶されているカレンダーデータに基づいて、テキストデータを受信した時刻、曜日、季節及び暦（テーマ）が、パラメータ記憶部１８に記憶されている天候に関するデータに基づいて、その時点における天気、気温及び湿度が特定される。次に、特定された時刻、曜日、季節、暦、天気、気温及び湿度をパラメータとし、パラメータにより示されるイメージに合致したフォントがフォントデータ記憶部１６に記憶されているフォントの中から検索される。そして、検索されたフォントの中で、パラメータにより示されるイメージに最も合致したフォントが選択される。この場合、テキストデータに対応させて、検索結果（検索されたフォントデータ）及び選択されたフォントデータがデータ記憶部２０に記憶される。
【００６０】
次に、データ記憶部２０に記憶されているテキストデータ、選択された背景画像及び選択されたフォントに基づいて携帯端末用画像を作成する（ステップＳ１６）。即ち、選択されたフォントを用いてテキストデータを画像データに変換し、変換されたテキストデータの画像と選択された背景画像とを合成する。次に、合成された画像の一部、例えば、画像の最下部に携帯端末用表示データ作成装置２に接続する際に用いられるＵＲＬを示す画像データを組み込むことにより携帯端末用画像を作成する。なお、作成された携帯端末用画像は、テキストデータに対応させてデータ記憶部２０に記憶される（ステップＳ１７）。
【００６１】
次に、作成された携帯端末用画像を携帯電話６ａに送信する（ステップＳ１８）。即ち、データ記憶部２０に記憶されている携帯端末用画像を通信制御部１２及びネットワーク４を介して携帯電話６ａに送信する。
【００６２】
携帯電話６ａにおいては、携帯端末用表示データ作成装置２からネットワーク４を介して送信された携帯端末用画像を受信し、受信した携帯端末用画像のデータをデータ記憶部４２に記憶する。次に、データ記憶部４２に記憶された携帯端末用画像のデータに基づいて、作成された携帯端末用画像を確認するための携帯端末用画像確認画面を表示部３６に表示する。
【００６３】
図６は、この発明の実施の形態に係る携帯端末用画像確認画面の一例を示す図である。携帯端末用画像確認画面には、図６に示すように、携帯端末用表示データ作成装置２において作成された携帯端末用画像を表示すると共に、携帯端末用画像の下部表示欄に「変更」ボタン及び「Ｏ．Ｋ．」ボタンが表示されている。「変更」ボタンは、表示されている携帯端末用画像を変更、例えば、背景画像の変更やテキストデータを画像に変換する際に用いられるフォントの変更等を行う場合に用いられ、「Ｏ．Ｋ．」ボタンは、表示されている携帯端末用画像の内容を確定する際に用いられる。従って、携帯電話６ａにおいては、携帯端末用画像の変更を行う場合には「変更」ボタンを指定する。一方、携帯端末用画像の変更を行う必要がない場合には、「Ｏ．Ｋ．」ボタンを指定する。なお、携帯端末用表示データ作成装置２においては、携帯端末６ａにおいて「Ｏ．Ｋ．」ボタンが指定され変更の要求が行われなかった場合には（ステップＳ１９、図５参照）、携帯端末用画像の作成処理を終了する。
【００６４】
携帯端末用表示データ作成装置２においては、携帯端末用画像の変更が要求された場合には（ステップＳ１９）、変更内容選択画面を示すデータを携帯電話６ａに送信する（ステップＳ２０）。即ち、携帯電話６ａにおいて「変更」ボタンが指定された場合には、データ記憶部２０に記憶されている変更内容選択画面を示すデータを、通信制御部１２を介して携帯電話６ａに送信する。
【００６５】
図７は、この発明の実施の形態に係る変更内容選択画面の一例を示す図である。変更内容選択画面は、図７に示すように、「背景変更」ボタン、「フォント変更」ボタン、「キャンセル」ボタン及び「戻る」ボタンにより構成される。即ち、「背景変更」ボタンは、携帯端末用画像の背景画像を変更する際に用いられ、「フォント変更」ボタンは、携帯端末用画像に含まれるメッセージのフォントを変更する際に用いられる。また、「キャンセル」ボタンは、携帯端末用画像の変更を中止する際に用いられ、「戻る」ボタンは前の画面、即ち、携帯端末用画像確認画面に戻る際に用いられる。
【００６６】
携帯電話６ａにおいては、ネットワーク４を介して携帯端末用表示データ作成装置２から送信された変更内容選択画面を示すデータを受信し、表示部３６に図７に示す変更内容選択画面を表示する。次に、表示部３６に表示されている変更内容選択画面において、例えば、背景画像を変更する場合には「背景変更」ボタンを指定することにより、背景画像の変更を要求するデータを携帯端末用表示データ作成装置２に送信する。
【００６７】
携帯端末用表示データ作成装置２においては、携帯端末用画像の変更に用いるサンプルデータを携帯電話６ａに対して送信する（ステップＳ２１）。例えば、携帯電話６ａにおいて、「背景変更」ボタンが指定された場合には、データ記憶部２０に記憶されている背景画像の検索結果（背景画像として用いられる画像の次候補）を示すデータ、即ち、検索結果として記憶されている背景画像のサムネイル画像を、サンプルデータとして通信制御部１２を介して携帯電話６ａに送信する。なお、「フォント変更」ボタンが指定された場合には、データ記憶部２０に記憶されているフォントの検索結果を示すデータが、サンプルデータとして通信制御部１２を介して携帯電話６ａに送信される。
【００６８】
携帯電話６ａにおいては、携帯端末用表示データ作成装置２からネットワーク４を介して送信されたサンプルデータを受信し、受信したサンプルデータに基づいて背景画像のサンプルやフォントのサンプルを表示部３６に表示する。例えば、背景画像のサンプルデータを受信した場合には、サンプルデータに基づいて表示部３６に背景画像の次候補を表示し、表示された背景画像の中から任意の背景画像を選択する。次に、選択された背景画像の背景画像ＩＤを変更指示データとして携帯端末用表示データ作成装置２に送信する。なお、フォントを変更する際にも、背景画像を変更する場合と同様に、表示されている次候補の中から任意のフォントを選択し、選択されたフォントのフォントＩＤを変更指示データとして携帯端末用表示データ作成装置２に送信する。
【００６９】
携帯端末用表示データ作成装置２においては、携帯電話６ａから送信された変更指示データを通信制御部１２を介して受信し（ステップＳ２２）、受信した変更指示データに基づいて携帯端末用画像を変更する（ステップＳ２３）。例えば、変更指示データにより背景画像の変更が指示されている場合には、データ記憶部２０に記憶されている携帯端末用画像の背景画像を、変更指示データにより示される背景画像ＩＤに対応する画像に変更することにより携帯端末用画像を変更する。なお、フォントを変更する場合にも、変更指示データにより示されるフォントＩＤに対応するフォントを用いてテキストデータを画像に変換することにより携帯端末用画像を変更する。
【００７０】
次に、ステップＳ１７に戻り、変更された携帯端末用画像のデータをデータ記憶部２０に記憶する。即ち、変更された携帯端末用画像のデータをデータ記憶部２０に記憶されている変更前の携帯端末用画像のデータに上書きし、データ記憶部２０に記憶する。次に、データ記憶部２０に記憶されている変更された携帯端末用画像を携帯電話６ａに送信し（ステップＳ１８）、携帯端末画像確認画面において「Ｏ．Ｋ．」ボタンが指定された場合、即ち、変更が要求されていない場合には（ステップＳ１９）、携帯端末画像の作成処理を終了する。一方、変更が要求された場合には（ステップＳ１９）、上述のステップＳ２２〜ステップＳ２５の処理を繰り返し行う。
【００７１】
図８は、この発明の実施の形態に係る携帯端末用画像の一例を示す図である。携帯用端末表示画像は、図８に示すように、ハートをあしらった背景画像に丸みを帯びた手書き風のフォントを用いた「あなたと一緒にいたい」というメッセージ（画像）を示し、メッセージの下部に携帯端末用表示データ作成装置２のドメイン名としてＵＲＬ「ｈｔｔｐ：／／ｕｂｉｍｅ．ｊｐ」を表示している。即ち、「あなたと一緒にいたい」というテキストデータは、解析結果により恋愛をテーマにしたものであることが認識され、背景画像として恋愛をテーマにした画像、即ち、ハートを用いた画像が選択される。同様に、解析結果に基づいて、恋愛の分類のフォント、例えば、図８に示すように、丸みを帯びた手書き風のフォントが選択され、選択されたフォントを用いてテキストデータが画像データに変換される。
【００７２】
携帯電話６ａにおいては、最終的に確定した携帯端末用画像を、電子メールのメールデータとして他のユーザが用いる携帯電話、例えば、携帯電話６ｂに送信することができる。携帯電話６ｂにおいては、携帯電話６ａから送信された携帯端末用画像の電子メールを受信して表示部に表示する。ここで、携帯電話６ｂにおいては、携帯端末用画像に表示されているＵＲＬを参照し、参照されたＵＲＬをブラウザ等において接続先アドレスとして入力することにより、携帯端末用表示データ作成装置２にネットワーク４を介して接続し、携帯端末用画像の作成を要求することができる。即ち、携帯端末用表示データ作成装置２にテキストデータを送信し、上述の処理と同様の処理により作成された携帯端末用画像を受信することができる。
【００７３】
この発明の実施の形態に係る携帯端末用表示データ作成装置によれば、入力されたテキストデータに基づいて背景画像及びフォントを選択し、テキストデータの内容に合致した画像を作成している。即ち、テキストデータの内容に合致した画像を背景画像とし、背景画像とテキストデータの内容に合致したフォントを用いてテキストデータを変換した画像データとを合成して作成された携帯端末用画像を電子メールのメールデータとして送受信することができる。従って、画像を表示する機能を有する携帯電話であれば、機種や利用している携帯電話会社に拘わり無く、テキストデータの内容に基づくユーザの感情やイメージを表現した携帯端末用画像を電子メールのメールデータとして送受信することができる。
【００７４】
また、この発明の実施の形態に係る携帯端末用表示データ作成装置によれば、入力されたテキストデータの解析結果に基づいて、背景画像が選択されている。即ち、例えば、場所を示す語がテキストデータの中に含まれている場合には、その場所のイメージに合致した背景画像、例えば、「上野」であれば西郷隆盛の像を用いた背景画像が自動的に選択され携帯端末用画像が作成されている。従って、テキストデータの内容に基づくユーザの感情やイメージを適切に表現し、かつ、機種や携帯電話会社に拘わり無く表示することができる携帯端末用画像を容易に作成することができる。また、場所を示す語を用いることにより、例えば、電子メールの絵葉書的な用い方を容易に実現することができる。
【００７５】
また、この発明の実施の形態に係る携帯端末用表示データ作成装置によれば、テーマ、日時及び場所等を示す語がテキストデータに一切含まれていない場合であっても、背景画像を選択するために記憶されている、例えば、カレンダーデータ等のパラメータを用いて適切な背景画像を選択することができる。従って、適切な背景画像を用いた携帯端末用画像を容易に作成し、電子メールのメールデータとして用いることができる。
【００７６】
また、この発明の実施の形態に係る携帯端末用表示データ作成装置によれば、入力されたテキストデータの解析結果に基づいて、テキストデータを画像に変換する際に用いられるフォントが自動的に選択されている。即ち、テキストデータの内容からテキストデータがどのような分類に属する文章であるかを認識し、分類に合致したフォントを選択してテキストデータを画像に変換している。従って、テキストデータの内容に基づくユーザの感情やイメージを適切に表現した携帯端末用画像を容易に作成することができる。
【００７７】
また、携帯端末用表示データ作成プログラムをコンピュータに組み込むことにより、コンピュータを上述の実施の形態に掛かる携帯端末用表示データ作成装置として機能させることができる。従って、携帯端末用表示データ作成プログラムをコンピュータに組み込むことにより、テキストデータに基づくユーザの感情等を適切に表現した携帯端末用画像を、容易に電子メールのメールデータとして利用することができる。
【００７８】
なお、上述の実施の形態に係る携帯端末用表示データ作成装置においては、選択されたテーマ等に対応させて記憶されている背景画像のサンプル画像の中から背景画像を指定しているが、キーワードに基づく検索結果の中から背景画像を指定してもよい。例えば、携帯電話６ａに表示されているテキストデータ入力画面において、「背景選択」ボタンが指定された場合に、「検索結果から指定」と「一覧から指定」との何れかを選択できるようにする。この時、「検索結果から指定」が選択された場合には、キーワード入力画面を携帯電話６ａに表示し、携帯端末用表示データ作成装置では、携帯電話６ａにおいて入力されたキーワードに合致する背景画像を検索する。次に、検索された背景画像のサンプル画像を携帯電話６ａにおいて表示し、表示されているサンプル画像の中から背景画像を指定するようにしてもよい。
【００７９】
また、上述の実施の形態に係る携帯端末用表示データ作成装置においては、テキストデータの中に場所を示す語が含まれているか否かの解析を行っているが、テキストデータの解析を行うことなく、ユーザの場所を特定するようにしてもよい。例えば、ＧＰＳ（Ｇｌｏｂａｌ  Ｐｏｓｉｔｉｏｎｉｎｇ  Ｓｙｓｔｅｍｓ）機能を備える携帯電話においては、ＧＰＳ機能により把握された場所をテキストデータと共に携帯端末用表示データ作成装置に送信し、ユーザの場所を特定するようにしてもよい。また、ＧＰＳ機能により把握された場所と、テキストデータに含まれている語により認識される場所とが一致していない場合に、何れを優先するかを指定することができるようにしてもよい。
【００８０】
また、上述の実施の形態に係る携帯端末用表示データ作成装置においては、選択されたフォントデータに基づいてテキストデータを画像に変換しているが、テキストデータを画像に変換する際に、文字のレイアウトを調整するようにしてもよい。例えば、文字の大きさを大きく（小さく）したり、文字を所定の角度（例えば、２０度程度）回転させて文字列に傾きを持たせるようにしてもよい。また、文字を配置する位置を上下させたり、更に、文字の大きさ、傾き及び配置位置等を組み合わせて文字のレイアウトを調整することができるようにしてもよい。
【００８１】
また、上述の実施の形態に係る携帯端末用表示データ作成装置においては、テキストデータの解析結果に基づいて背景画像を選択しているが、同一のテキストデータが受信され同一の解析結果に基づく場合であっても、携帯端末用画像を作成する処理毎に異なる背景画像が選択されるようにしてもよい。例えば、同一のテキストデータを同一時刻、同一の場所から送信した場合であっても、解析結果に基づいて検索された背景画像の中から背景画像を選択する際に、乱数を用いること等によって、処理毎に異なる背景画像が選択されるようにしてもよい。
【００８２】
また、上述の実施の形態に係る携帯端末用表示データ作成装置においては、作成された携帯端末用画像をテキストデータの送信元であるユーザに対して、作成後直ちに送信しているが、作成された携帯端末用画像を携帯端末用表示データ作成装置において記憶しておき、ユーザからの要求があった時点で送信するようにしてもよい。例えば、携帯電話６ａからテキストデータが送信された場合に、携帯電話６ａを用いるユーザのユーザＩＤ及びパスワードに対応させて作成された携帯端末用画像をデータ記憶部に記憶する。そして、携帯電話６ａのユーザが携帯電話６ａを用いて携帯端末用表示データ作成装置に接続しユーザＩＤ及びパスワードを入力して本人認証が行われた時点で、データ記憶部に記憶されている携帯端末用画像を取得することができるようにしてもよい。
【００８３】
また、作成された携帯端末用画像を指定された送信先に送信するようにしてもよい。即ち、テキストデータと共に、作成された携帯端末用画像の送信先を示すデータ、例えば、携帯電話６ｂの電子メールアドレスを示すデータが受信された場合には、作成された携帯端末用画像を携帯電話６ｂに送信するようにしてもよい。更に、送信時刻が指定されている場合には、指定された時刻に作成されたメッセージを携帯電話６ｂに送信するようにしてもよい。
【００８４】
また、上述の実施の形態に係る携帯端末用表示データ作成装置においては、予め携帯端末用表示データ作成装置に記憶されている画像の中から、背景画像を選択しているが、ユーザが撮影したデジタル写真等を背景画像として用いてもよい。例えば、携帯電話に搭載されているデジタルカメラにより撮影した写真のデータをテキストデータと共に携帯端末用表示データ作成装置に送信し、携帯端末用表示データ作成装置においては、受信した写真のデータを背景画像として携帯端末用画像を作成するようにしてもよい。
【００８５】
また、上述の実施の形態に係る携帯端末用表示データ作成装置においては、携帯端末用画像に、背景画像、所定のフォントを用いて変換されたテキストデータの画像及び携帯端末用表示データ作成装置のＵＲＬの画像を含ませているが、その他の画像を含ませてもよい。例えば、携帯端末用表示データ作成装置において、各種商品・サービス等に関する広告画像を記憶する広告画像データ記憶部を備え、該広告画像データ記憶部に記憶されている広告画像の中から、テキストデータの内容に合致した広告画像を選択して、選択された広告画像を含む携帯端末用画像を作成し、作成された携帯端末用画像を電子メールのメールデータとして送信することができるようにしてもよい。
【図面の簡単な説明】
【００８６】
【図１】この発明の実施の形態に係る携帯端末用表示データ作成装置を含むシステム全体のブロック構成図である。
【図２】この発明の実施の形態に係る携帯端末用表示データ作成装置のブロック構成図である。
【図３】この発明の実施の形態に係る携帯電話のブロック構成図である。
【図４】この発明の実施の形態に係るテキストデータ入力画面の一例を示す図である。
【図５】この発明の実施の形態に係る携帯端末用表示データ作成装置による携帯端末用画像の作成処理を説明するためのフローチャートである。
【図６】この発明の実施の形態に係る携帯端末用画像確認画面の一例を示す図である。
【図７】この発明の実施の形態に係る変更内容選択画面の一例を示す図である。
【図８】この発明の実施の形態に係る携帯端末用画像の一例を示す図である。
【符号の説明】
【００８７】
２・・・携帯端末用表示データ作成装置、４・・・ネットワーク、６ａ、６ｂ、６ｃ・・・携帯電話、１０・・・データ制御部、１２・・・通信制御部、１４・・・背景画像データ記憶部、１６・・・フォントデータ記憶部、１８・・・パラメータ記憶部、２０・・・データ記憶部、３０・・・データ制御部、３２・・・アンテナ、３４・・・スピーカ、３６・・・表示部、３８・・・入力部、４０・・・マイク、４２・・・データ記憶部。
【図１】
2005242790.tif 000003
【図２】
2005242790.tif 000004
【図３】
2005242790.tif 000005
【図４】
2005242790.tif 000006
【図５】
2005242790.tif 000007
【図６】
2005242790.tif 000008
【図７】
2005242790.tif 000009
【図８】
2005242790.tif 000010